(57)【要約】【課題】  ユーザが適切な画像診断を行えるようにする。【解決手段】  ユーザ端末が有する第１の表示装置に、当該第１の表示装置用の第１の画像データに基づく画像を表示させる場合に、当該画像の表示品質データを提供する装置であって、第１の表示装置用の第１の画像データを第１の表示装置に表示する時の表示品質に関する第１のデータを取得し、第１データ記憶部に格納する手段と、第１の画像データに対応する、第２の表示装置用の第２の画像データを第２の表示装置に表示した時の表示品質に関し且つ予め第２データ記憶部に格納されている第２のデータと、第１データ記憶部に格納された第１のデータとの相違事項を抽出し、当該相違事項に関するデータを相違データ記憶部に格納する手段と、ユーザ端末からの要求に応じて、相違データ記憶部に格納された相違事項に関するデータを含む画像表示品質データをユーザ端末に送信する手段とを有する。【選択図】図１
2005052543.tif 000002
【特許請求の範囲】
【請求項１】
ユーザ端末が有する第１の表示装置に、当該第１の表示装置用の第１の画像データに基づく画像を表示させる場合に、当該画像の表示品質データを提供する画像表示品質データ提供装置であって、
前記第１の表示装置用の前記第１の画像データを前記第１の表示装置に表示する時の表示品質に関する第１のデータを取得し、第１データ記憶部に格納する第１データ取得手段と、
前記第１の画像データに対応する、第２の表示装置用の第２の画像データを前記第２の表示装置に表示した時の表示品質に関し且つ予め第２データ記憶部に格納されている第２のデータと、前記第１データ記憶部に格納された前記第１のデータとの相違事項を抽出し、当該相違事項に関するデータを相違データ記憶部に格納する相違データ抽出手段と、
前記ユーザ端末からの要求に応じて、前記相違データ記憶部に格納された前記相違事項に関するデータを含む画像表示品質データを前記ユーザ端末に送信する画像表示品質データ送信手段と、
を有する画像表示品質データ提供装置。
【請求項２】
前記第１のデータ及び前記第２のデータには、表示装置を特定可能な名称と画像の圧縮率と表示装置の解像度と表示装置の輝度とのうち少なくともいずれかが含まれていることを特徴とする
請求項１記載の画像表示品質データ提供装置。
【請求項３】
前記第２のデータには、前記第２の表示装置の劣化に関するデータが含まれていることを特徴とする
請求項１又は２記載の画像表示品質データ提供装置。
【請求項４】
ユーザ端末が有する第１の表示装置に、当該第１の表示装置用の第１の画像データに基づく画像を表示させる場合に、当該画像の表示品質データを提供するための画像表示品質データ提供プログラムであって、
前記第１の表示装置用の前記第１の画像データを前記第１の表示装置に表示する時の表示品質に関する第１のデータを取得し、第１データ記憶部に格納するステップと、
前記第１の画像データに対応する、第２の表示装置用の第２の画像データを前記第２の表示装置に表示した時の表示品質に関し且つ予め第２データ記憶部に格納されている第２のデータと、前記第１データ記憶部に格納された前記第１のデータとの相違事項を抽出し、当該相違事項に関するデータを相違データ記憶部に格納するステップと、
前記ユーザ端末からの要求に応じて、前記相違データ記憶部に格納された前記相違事項に関するデータを含む画像表示品質データを前記ユーザ端末に送信するステップと、
をコンピュータに実行させる画像表示品質データ提供プログラム。
【請求項５】
ユーザ端末が有する第１の表示装置に、当該第１の表示装置用の第１の画像データに基づく画像を表示させる場合に、コンピュータにより実行される画像表示品質データ提供方法であって、
前記第１の表示装置用の前記第１の画像データを前記第１の表示装置に表示する時の表示品質に関する第１のデータを取得し、第１データ記憶部に格納するステップと、
前記第１の画像データに対応する、第２の表示装置用の第２の画像データを前記第２の表示装置に表示した時の表示品質に関し且つ予め第２データ記憶部に格納されている第２のデータと、前記第１データ記憶部に格納された前記第１のデータとの相違事項を抽出し、当該相違事項に関するデータを相違データ記憶部に格納するステップと、
前記ユーザ端末からの要求に応じて、前記相違データ記憶部に格納された前記相違事項に関するデータを含む画像表示品質データを前記ユーザ端末に送信するステップと、
を含み、コンピュータにより実行される画像表示品質データ提供方法。
【発明の詳細な説明】
【技術分野】
【０００１】
本発明は、画像の表示品質を示すデータの提供に関するものである。
【背景技術】
【０００２】
フィルムレス化が進んだ昨今、画像を電子データとして取り扱うようなケースが増えてきた。例えば、ＣＲ（Computed Radiography）撮影装置やＣＴ（Computed Tomography）撮影装置等によって生成された医用画像の診断には、従来、フィルムなどのハードコピーが用いられてきたが、近年ではコンピュータの表示装置（モニタ）に表示された画像の閲覧による診断も可能となっている。
【０００３】
例えば、医療施設において電子カルテを保管し、データセンタにおいて医療画像データを保管する保管形態を採用した場合において、画像診断作業の効率を向上させるための技術（システム）が存在する（例えば特許文献１参照）。すなわち、医療施設に備えられたクライアント端末が、サーバからインターネットを介して受信した医療画像データを出力する画像出力手段と、電子カルテ記憶手段に記憶されているカルテ・データを出力する電子カルテ出力手段とを備え、さらに、クライアント端末に備えられた制御手段が、カルテ・データと医療画像データとを関連付ける関連情報を用いて、互いに関連するカルテ・データと医療画像データとを、それぞれ電子カルテ出力手段と画像出力手段に連携させて出力させる連携出力手段の機能を備える。
【０００４】
一方、このようなモニタを用いた医用画像の診断では、フィルムによるものと比較して、搬送にかかる時間、費用及び保存場所の削減や、画像紛失の防止を図ることが可能になるなど、様々な利点がある反面、画像品質についての問題が存在する。
【０００５】
例えば、総合病院などの規模の大きな医療機関では、医用画像を生成するための装置が多数設置されており、放射線技師等の専門の技師が各装置の操作を担当している。そして、医師は、放射線技師等が撮影及び確認済みの画像データを例えばネットワーク経由で取得して読影を行う。この場合、例えば放射線技師が専用の高解像度モニタを用いて品質確認を行った診断画像について、医師が別のモニタで読影を行うと、品質確認時とは別の見え方をすることがある。すなわち、モニタが異なることによる解像度や輝度の違い等により、医師が正確に読影できず、診断ミスにつながる可能性が生じてしまう。
【０００６】
これについては、例えば、ネットワーク接続された各画像表示装置上で、個々のハードウェア特性に依存することなく、同じ画像を同じように表示させるための技術が存在する（例えば特許文献２参照）。すなわち、ネットワーク接続された画像表示装置上で表示出力される画像ファイルを管理する画像管理システムであって、画像ファイルを記録する画像ファイル記録手段と、画像表示装置における表示出力の種類毎の階調特性を規定した階調テーブルを複数保管する階調テーブル保管手段と、転送先となる画像表示装置の表示出力の種類に応じた階調テーブルとともに画像ファイルを送信する送信手段とを具備する。
【特許文献１】特開２００２−２６９２４１号公報
【特許文献２】特開２００２−３０６４２５号公報
【発明の開示】
【発明が解決しようとする課題】
【０００７】
しかしながら、画像データが保存・転送される際に圧縮処理が行われることによる、その前後の画素密度の違い等、画像の撮影及び確認を担当する技師と、画像を診断する医師とにおける画像の見え方の違いには、上で示した他にも要因が挙げられる。また、同様に見えるといっても、技師及び医師のいずれもが低輝度や低解像度の画像を見ている場合には、適切な診断は望めない。例えば、専用の高解像度モニタが劣化して輝度が下がっていることも考えられるし、解像度が異なる複数のモニタについて、ソフトウェアの処理によって高い解像度に統一することはできない。
【０００８】
すなわち、上で述べた従来技術のようなソフトウェアによる画像調整には、おのずと限界がある。また、特に扱う対象が医用画像の場合、診断ミスはあってはならないことであるため、場合によっては医師が、画像を確認した技師のところへ出向いて全く同じ環境で画像を確認するという判断が必要になることも考えられるが、このような判断の基準となるようなデータは従来技術では示されていない。
【０００９】
そのため、本発明の目的は、適切な画像診断を可能とするための新規な技術を提供することである。
【課題を解決するための手段】
【００１０】
本発明に係る画像表示品質データ提供装置は、ユーザ端末が有する第１の表示装置に、当該第１の表示装置用の第１の画像データに基づく画像を表示させる場合に、当該画像の表示品質データを提供する画像表示品質データ提供装置であって、第１の表示装置用の第１の画像データを第１の表示装置に表示する時の表示品質に関する第１のデータを取得し、第１データ記憶部に格納する第１データ取得手段と、第１の画像データに対応する、第２の表示装置用の第２の画像データを第２の表示装置に表示した時の表示品質に関し且つ予め第２データ記憶部に格納されている第２のデータと、第１データ記憶部に格納された第１のデータとの相違事項を抽出し、当該相違事項に関するデータを相違データ記憶部に格納する相違データ抽出手段と、ユーザ端末からの要求に応じて、相違データ記憶部に格納された相違事項に関するデータを含む画像表示品質データをユーザ端末に送信する画像表示品質データ送信手段とを有する。
【００１１】
これにより、例えば医師であるユーザは、使用している端末のモニタに表示される画像の品質と、例えば放射線技師が異なる環境下で確認した画像の品質との違いを知ることができる。違いを知った上で診断するため、診断ミスが起こりにくくなる。例えば、今自分が見ている画像が診断に耐えうる品質ではないと判断し、別の環境下で画像を見直すことも可能となる。
【００１２】
また、上記第１のデータ及び第２のデータには、表示装置を特定可能な名称と画像の圧縮率と表示装置の解像度と表示装置の輝度とのうち少なくともいずれかが含まれているようにしてもよい。このようなパラメータに基づき、医師は、画像表示品質の違いを意識して診断を行うことができる。
【００１３】
また、上記第２のデータには、第２の表示装置の劣化に関するデータが含まれているようにしてもよい。これにより、例えば医師であるユーザは、放射線技師等が画像の確認に使用する専用のモニタについても、劣化により画像表示品質が下がっているかどうかを知ることができる。例えば、放射線技師等が確認した画像と同レベルの品質の画像を医師が参照できているとしても、そもそも放射線技師等が確認した画像の品質が適切なレベルになければ、正確な診断はできないと判断することが可能となる。
【００１４】
また、本発明に係る画像表示品質データ提供方法は、ユーザ端末が有する第１の表示装置に、当該第１の表示装置用の第１の画像データに基づく画像を表示させる場合に、コンピュータにより実行される画像表示品質データ提供方法であって、第１の表示装置用の第１の画像データを第１の表示装置に表示する時の表示品質に関する第１のデータを取得し、第１データ記憶部に格納するステップと、第１の画像データに対応する、第２の表示装置用の第２の画像データを第２の表示装置に表示した時の表示品質に関し且つ予め第２データ記憶部に格納されている第２のデータと、第１データ記憶部に格納された第１のデータとの相違事項を抽出し、当該相違事項に関するデータを相違データ記憶部に格納するステップと、ユーザ端末からの要求に応じて、相違データ記憶部に格納された相違事項に関するデータを含む画像表示品質データをユーザ端末に送信するステップとを含む。
【００１５】
また、本発明に係る画像表示品質データ提供装置についての変形は、本発明に係る画像表示品質データ提供方法に適用可能である。
【００１６】
なお、本発明に係る方法を実施するためのプログラムを生成することも可能であって、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介してデジタル信号として頒布される場合もある。なお、処理途中のデータについては、コンピュータのメモリに一時保管される。
【発明の効果】
【００１７】
本発明によると、ユーザは、異なる環境下における画像表示品質の違いを知った上で画像を閲覧することが可能となり、適切な判断を行うことができる。
【発明を実施するための最良の形態】
【００１８】
本発明の一実施の形態に係るシステム構成図を図１に示す。例えばある医療機関の院内ネットワークであるネットワーク１には、例えばワークステーションやパーソナル・コンピュータ等の端末装置である１又は複数の電子カルテシステム端末３及び画像システム端末７と、１又は複数の電子カルテシステム・サーバ５と、１又は複数の画像システム・サーバ９と、ＣＲ、ＣＴ等の撮影装置である１又は複数の撮影装置１１とが、直接又は間接的に接続されている。
【００１９】
電子カルテシステム端末３には、モニタ情報獲得プログラム３３と電子カルテシステム・クライアントプログラム３５とが含まれ、モニタ３１が接続されている。モニタ情報獲得プログラム３３は、解像度や輝度等、モニタ３１の情報を取得し、所定のファイルに保存するプログラムである。情報の取得方法としては、センサにより自動的に検知するようにしてもよいし、ユーザからの入力を受け付けるようにしてもよい。電子カルテシステム・クライアントプログラム３５は、電子カルテシステム・サーバ５にアクセスして電子カルテを用いた処理を実行するためのクライアント・プログラムである。必ずしも専用のクライアント・プログラムである必要はなく、例えばウェブ（Ｗｅｂ）ブラウザであってもよい。本実施の形態において、この電子カルテシステム端末３は主に医師によって使用される。
【００２０】
画像システム端末７には、モニタ情報獲得プログラム７３と画像システム・クライアントプログラム７５とが含まれ、モニタ７１が接続されている。モニタ情報獲得プログラム７３は、解像度や輝度等、モニタ７１の情報を取得し、所定のファイルに保存するプログラムである。情報の取得方法としては、センサにより自動的に検知するようになっているが、ユーザからの入力を受け付けるようにしてもよい。例えばモニタ７１に設けられている専用のセンサ装置と連動して、モニタ７１の情報を取得する。
【００２１】
画像システム・クライアントプログラム７５は、画像システム・サーバ９にアクセスして、撮影装置１１によって生成された画像データの登録処理を実行するためのプログラムである。なお、画像の登録の際、当該画像の撮影日時や被写体データ等の画像属性データや、当該画像の確認に使用したモニタ７１に関する情報も併せて送信する。また、撮影装置１１が生成する画像データは一般的にファイルサイズが大きいため、画像システム・サーバ９の画像システム・サーバプログラム９３（後述）は、受信した画像データを圧縮加工する。なお、画像システム・クライアントプログラム７５は、必ずしも専用のクライアント・プログラムである必要はなく、例えばＷｅｂブラウザであってもよい。
【００２２】
また、モニタ７１は撮影装置１１によって撮影された画像をその場で確認するための表示装置であって、比較的解像度及び輝度が高いものが採用されている。本実施の形態において、この画像システム端末７は主に放射線技師等、画像の撮影・確認を行う担当者によって使用される。
【００２３】
画像システム・サーバ９には、画像システム・サーバプログラム９３とモニタ情報格納プログラム９５とモニタ情報送信プログラム９７とが含まれ、画像データベース（ＤＢ）９１が接続されている。画像システム・サーバプログラム９３は、画像システム端末７からのアクセスを受け付け、画像データの画像ＤＢ９１への登録処理や、画像データの管理、閲覧等に関する処理を行うためのプログラムである。モニタ情報格納プログラム９５は、画像システム端末７から受信した画像システム端末７のモニタ７１に関する情報を、画像ＤＢ９１に格納するプログラムである。モニタ情報送信プログラム９７は、画像システム端末７から受信したモニタ７１に関する情報を電子カルテシステム・サーバ５に転送するための通信インタフェースである。画像ＤＢ９１には、画像のデータや、モニタ７１に関する情報等が格納されている。
【００２４】
なお、上でも述べたが、撮影装置１１によって撮影時に生成された画像データは、そのままではファイルサイズが大きいため、保存や通信に先立ち圧縮処理が行われるのが一般的である。そのため、画像ＤＢ９１に格納される画像のデータは、元々の画像データよりもファイルサイズが小さい一方で、品質精度が下がっている場合もある。
【００２５】
電子カルテシステム・サーバ５には、電子カルテシステム・サーバプログラム５３とモニタ情報格納プログラム５５とモニタ情報受信プログラム５７とが含まれ、電子カルテＤＢ５１が接続されている。電子カルテシステム・サーバプログラム５３は、電子カルテシステム端末３からのアクセスを受け付け、電子化されたカルテ・データの管理や閲覧等に関する処理を行うためのプログラムである。モニタ情報格納プログラム５５は、画像システム・サーバ９から受信した画像システム端末７のモニタ７１に関する情報を、電子カルテＤＢ５１に格納するプログラムである。モニタ情報受信プログラム５７は、画像システム・サーバ９によって送信されたモニタ７１に関する情報を受信するための通信インタフェースである。電子カルテＤＢ５１には、電子化されたカルテのデータや、モニタ７１に関する情報等が格納されている。
【００２６】
図２及び図３に、画像ＤＢ９１に含まれるモニタ初回使用情報テーブル及び画像ＤＢ用モニタ情報テーブルのテーブル構成及び格納されるデータの一例を示す。まず図２に、モニタ初回使用情報テーブルの一例を示す。図２の例には、端末ＩＤの列２００と装置名の列２０２と購入年月日の列２０４とメーカの列２０６と初回使用日時の列２０８とモニタ解像度の列２１０とモニタ輝度の列２１２とが含まれている。このモニタ初回使用情報テーブルには、撮影装置１１によって撮影された画像の確認にモニタ７１が初めて使用された時にレコードが登録される。レコードは、モニタ情報獲得プログラム７３によって取得されたデータに基づき生成するようにしてもよいし、初回登録時にユーザからの入力を受け付けるようにしてもよい。
【００２７】
図３に、画像ＤＢ用モニタ情報テーブルの一例を示す。図３の例には、検査ＩＤの列３００と検査日時の列３０２と確認日時の列３０４と確認端末ＩＤの列３０６と装置名の列３０８と画像圧縮率の列３１０とモニタ解像度の列３１２とモニタ輝度の列３１４と輝度差の列３１６とが含まれている。画像システム・サーバ９が画像システム端末７から画像データを受信した際に、併せて受信する画像属性データ及びモニタ７１の情報に基づき、この画像ＤＢ用モニタ情報テーブルのレコードが生成され、登録される。輝度差の列３１６には、モニタ初回使用情報テーブル（図２）の該当する（端末ＩＤが同一）レコードのモニタ輝度の列２１２の値と、モニタ輝度の列３１４の値との差が格納される。輝度差の列３１６の値は、画像システム・サーバ９のモニタ情報格納プログラム９５によって計算され、格納される。
【００２８】
なお、画像ＤＢ９１には、この他にも、画像データを格納するためのテーブル等が存在するが、一般的なテーブル構成のため図示及び説明を割愛する。
【００２９】
図４及び図５に、電子カルテＤＢ５１に含まれる文書テーブル及びカルテＤＢ用モニタ情報テーブルのテーブル構成及び格納されるデータの一例を示す。まず図４に、文書テーブルの一例を示す。図４の例には、文書ＩＤの列４００と、患者ＩＤの列４０２と、・・・・、結果の列４０４と、画像ＩＤの列４０６とが含まれている。この文書テーブルには、電子カルテに関するデータが格納されており、文書ＩＤの列４００の値によってレコードが特定できる。電子カルテシステム・サーバ５が画像システム・サーバ９からモニタ７１の情報を受信した際に、併せて受信する画像属性データに基づき、この文書テーブルのレコードが生成され、登録される。なお、医師が例えば電子カルテシステム端末３を操作して電子カルテシステム・サーバ５にアクセスすることによりデータの登録・編集が行われる場合もある。
【００３０】
図５に、カルテＤＢ用モニタ情報テーブルの一例を示す。図５の例には、文書ＩＤの列５００と検査ＩＤの列５０２と検査日時の列５０４と確認日時の列５０６と確認端末ＩＤの列５０８と装置名の列５１０と画像圧縮率の列５１２とモニタ解像度の列５１４とモニタ輝度の列５１６と輝度差の列５１８とが含まれている。電子カルテシステム・サーバ５が画像システム・サーバ９からモニタ７１の情報及び画像属性データを受信した際に、この文書テーブルのレコードが生成され、登録される。テーブルの構成は、図３に示した画像ＤＢ用モニタ情報テーブルと同様の（複製）テーブルに文書ＩＤの列５００を追加して、文書テーブル（図４）と関連付けたものとなっている。
【００３１】
次に、図６乃至図１２を用いて、図１に示したシステムの処理内容について説明する。まず、画像システム端末７の画像システム・クライアントプログラム７５は、撮影装置１１が生成した画像データ及び撮影データを取得し、一旦記憶装置に格納する（図６：ステップＳ１）。なお、撮影データとは、画像の撮影日時や被写体に関するデータ等を含む画像属性データである。
【００３２】
そして、画像システム・クライアントプログラム７５は、取得した画像データを用いてモニタ７１に画像を表示させる（ステップＳ３）。例えば画像の確認を担当する専門技師は、モニタ７１に表示された画像を確認する。画像システム・クライアントプログラム７５は、例えば図示しない品質チェック・ページを用いて専門技師からの品質チェック・データの入力を受け付け、一旦記憶装置に格納する（ステップＳ５）。なお、ステップＳ１において取得した撮影データに品質チェック・データの一部が含まれている場合もあり、このような場合には、残りのデータの入力を促すようにする。
【００３３】
図７に、品質チェック・データの一例を示す。図７の例には、検査ＩＤの行７００と患者ＩＤの行７０２と検査日時の行７０４と確認日時の行７０６と撮影装置名の行７０８と撮影装置購入年月日の行７１０と撮影装置メーカの行７１２と撮影装置表示輝度の行７１４と確認端末ＩＤの行７１６と確認装置名の行７１８と画像圧縮率の行７２０と画像ＩＤ（ファイル名）の行７２２とが含まれている。本実施の形態においては、確認日時の行７０６、確認端末ＩＤの行７１６及び確認装置名の行７１８については、専門技師からのデータ入力によって値が登録され、それ以外の行については、上で述べた撮影データに基づき、値が登録される。また、撮影装置１１によって予め画像データが（ある程度）圧縮されている場合には、画像圧縮率の行７２０に圧縮率が登録される。なお、実際には、品質チェック・データは、右側の列（データの列）の値が例えばカンマ区切りで羅列されているものである。
【００３４】
図６の説明に戻り、画像システム端末７のモニタ情報獲得プログラム７３は、例えば専門技師の操作に従い、モニタ７１の情報を取得し、所定のファイルに格納する（図６：ステップＳ７）。例えばモニタ７１に設けられている専用のセンサ装置と連動して、モニタ７１の情報を取得する。モニタの情報には、例えば解像度及び輝度が含まれている。なお、このステップは必ずしもこの時点で行う必要はなく、例えば定期的に行っておくようにしてもよい。
【００３５】
そして、画像システム端末７の画像システム・クライアントプログラム７５は、専門技師の操作に従い、画像データ、品質チェック・データ及びモニタ情報を画像システム・サーバ９に送信する（ステップＳ９）。例えば、図示しない送信データ確認ページ等を用いて、送信するデータの確認操作やファイルの添付指示を受け付け、データを送信する。
【００３６】
画像システム・サーバ９の画像システム・サーバプログラム９３は、画像データを画像システム端末７から受信し、圧縮して格納する。また、品質チェック・データ及びモニタ情報を画像システム端末７から受信し、一旦記憶装置に格納する（ステップＳ１１）。なお、品質チェック・データの画像ＩＤ（ファイル名）及び画像データについては、画像ＤＢ９１の図示しない画像テーブルに格納する。
【００３７】
そして、画像システム・サーバ９のモニタ情報格納プログラム９５は、品質チェック・データの確認端末ＩＤ及び確認装置名に基づきモニタ初回使用情報テーブルを検索し、該当するレコードが存在するか確認し、今回、画像の確認に用いられたモニタが新規のモニタであったか判定する（ステップＳ１３）。
【００３８】
新規のモニタであったと判定された場合（ステップＳ１３：Ｙｅｓルート）、モニタ情報格納プログラム９５は、品質チェック・データ及びモニタ情報に基づき、モニタ初回使用情報テーブル（図２）のレコードを生成し、画像ＤＢ９１に格納する（ステップＳ１５）。なお、購入年月日やメーカ名等、受信したデータに含まれていない項目については、入力を促すページ・データを画像システム端末７に送信して、専門技師にデータ入力させるようにしてもよいし、図示しない端末モニタＤＢ等からデータを抽出するようにしてもよい。そして、後に述べるステップＳ１９の処理に移行する。
【００３９】
一方、新規のモニタではなかったと判定された場合（ステップＳ１３：Ｎｏルート）、モニタ情報格納プログラム９５は、モニタ初回使用情報テーブル（図２）の該当するレコードのモニタ輝度の列２１２の値と、受信したモニタ情報に含まれる輝度との差を計算し、一旦記憶装置に格納する（ステップＳ１７）。この輝度差のデータは、モニタ７１の劣化の度合いを示すデータである。
【００４０】
そして、モニタ情報格納プログラム９５は、品質チェック・データ及びモニタ情報に基づき、画像ＤＢ用モニタ情報テーブル（図３）のレコードを生成し、画像ＤＢ９１に格納する（ステップＳ１９）。なお、ステップＳ１７を経由してこの処理を行う場合には、輝度差の列３１６（図３）にはステップＳ１７で計算された輝度差の値が登録される。また、ステップＳ１５を経由してこの処理を行う場合には、輝度差の列３１６（図３）には「０」が登録される。
【００４１】
ステップＳ１９の処理が終了すると、画像システム・サーバ９のモニタ情報送信プログラム９７は、品質チェック・データ、及び輝度差のデータを含むモニタ情報を電子カルテシステム・サーバ５に送信する（ステップＳ２１）。電子カルテシステム・サーバ５のモニタ情報受信プログラム５７は、品質チェック・データ、及び輝度差のデータを含むモニタ情報を画像システム・サーバ９から受信し、一旦記憶装置に格納する（ステップＳ２３）。この際、電子カルテシステム・サーバ５のモニタ情報格納プログラム５５は、受信した品質チェック・データ、及び輝度差のデータを含むモニタ情報に基づき、文書テーブル（図４）及びカルテＤＢ用モニタ情報テーブル（図５）のレコードを生成し、電子カルテＤＢ５１に格納する。併せて、品質チェック・データを電子カルテＤＢ５１の所定の領域に格納する。
【００４２】
このようにして、専門技師が確認した画像及び環境についての情報がサーバに保持される。以下、サーバに保持されたデータを利用する処理について示す。
【００４３】
まず、電子カルテシステム端末３の電子カルテシステム・クライアントプログラム３５は、例えば医師であるユーザの操作に従い、電子カルテ画面データの要求を電子カルテシステム・サーバ５に送信する（図８：ステップＳ３１）。なお、これより前にログイン処理がなされているものとする。
【００４４】
電子カルテシステム・サーバ５の電子カルテシステム・サーバプログラム５３は、電子カルテ画面データの要求を電子カルテシステム端末３から受信する（ステップＳ３３）。そして、電子カルテシステム・サーバプログラム５３は、電子カルテＤＢ５１の文書テーブル（図４）のデータに基づき電子カルテ画面データを生成し、電子カルテシステム端末３に送信する（ステップＳ３５）。電子カルテシステム端末３の電子カルテシステム・クライアントプログラム３５は、電子カルテ画面データを電子カルテシステム・サーバ５から受信し、モニタ３１に表示する（ステップＳ３７）。
【００４５】
図示しないが、電子カルテ画面には、カルテの一覧が示されており、各カルテの詳細表示に移行するためのボタンが含まれている。ボタンには例えば「レポートを表示」ボタンと「結果を表示」ボタンとがあり、カルテの属性、すなわち文書テーブルの結果の列４０４の値によって、各カルテに対応して表示されるボタンが決定される。なお、本実施の形態においては、画像撮影に関するカルテの属性を「画像」としている。
【００４６】
そして、いずれかのカルテに対応付けられた例えば「結果を表示」ボタンが、医師であるユーザによってクリックされると、電子カルテシステム端末３の電子カルテシステム・クライアントプログラム３５は、検査結果表示指示を受け付ける（ステップＳ３９）。そして、電子カルテシステム・クライアントプログラム３５は、結果表示画面データの要求を電子カルテシステム・サーバ５に送信する（ステップＳ４１）。この際、選択されたカルテの文書ＩＤも併せて送信する。
【００４７】
電子カルテシステム・サーバ５の電子カルテシステム・サーバプログラム５３は、結果表示画面データの要求及び文書ＩＤを電子カルテシステム端末３から受信し、一旦記憶装置に格納する（ステップＳ４３）。そして、電子カルテシステム・サーバプログラム５３は、電子カルテＤＢ５１の文書テーブル（図４）のデータに基づき結果表示画面データを生成し、電子カルテシステム端末３に送信する（ステップＳ４５）。電子カルテシステム端末３の電子カルテシステム・クライアントプログラム３５は、結果表示画面データを電子カルテシステム・サーバ５から受信し、モニタ３１に表示する（ステップＳ４７）。
【００４８】
図示しないが、結果表示画面には、カルテの詳細な情報や、医師の所見、サムネイル画像等が含まれている。なお、医師の所見は別の編集用画面を用いて登録される。また、サムネイル画像を表示させる場合には、予め画像システム・サーバ９の画像システム・サーバプログラム９３がサムネイル画像を生成して画像ＤＢ９１に格納しておき、それを電子カルテシステム・サーバ５の電子カルテシステム・サーバプログラム５３が抽出するようにする。
【００４９】
また、結果表示画面には「画像品質精度表示」ボタンと「画像表示」ボタンとが、さらに含まれている。例えば医師であるユーザは、専門の技師が画像を確認した際の環境を知りたい場合には「画像品質精度表示」ボタンをクリックする。また、サムネイルではなく標準の大きさで画像を見たい場合には、「画像表示」ボタンをクリックする。なお、サムネイル画像をクリックすることにより、標準の大きさの画像を表示させるようにしてもよい。また、画像が複数ある場合には、どの画像に対する処理なのかを特定できるようにしておく。例えばサムネイル画像にラジオボタンを対応付けたり、「画像品質精度表示」ボタンと「画像表示」ボタンとを画像の数だけ設けるようにする。
【００５０】
そして、電子カルテシステム端末３の電子カルテシステム・クライアントプログラム３５は、結果表示画面に対するユーザからの選択入力を受け付け、選択入力データを電子カルテシステム・サーバ５に送信する（ステップＳ４９）。電子カルテシステム・サーバ５の電子カルテシステム・サーバプログラム５３は、結果表示画面に対するユーザからの選択入力データを電子カルテシステム端末３から受信し、一旦記憶装置に格納する（ステップＳ５１）。
【００５１】
そして、電子カルテシステム・サーバプログラム５３は、結果表示画面に対するユーザからの選択入力が画像表示であったか、すなわち「画像表示」ボタンがクリックされたか判定する（ステップＳ５３）。画像表示であったと判定された場合（ステップＳ５３：Ｙｅｓルート）、処理は端子Ａを介して図１０の処理に移行する。
【００５２】
一方、画像表示ではなかった（画像品質精度表示であった）と判定された場合（ステップＳ５３：Ｎｏルート）、電子カルテシステム・サーバプログラム５３は、電子カルテＤＢ５１のカルテＤＢ用モニタ情報テーブル（図５）のデータ及び品質チェック・データを用いて画像品質精度画面のデータを生成し、電子カルテシステム端末３に送信する（ステップＳ５５）。電子カルテシステム端末３の電子カルテシステム・クライアントプログラム３５は、画像品質精度画面のデータを電子カルテシステム・サーバ５から受信し、モニタ３１に表示する（ステップＳ５７）。
【００５３】
画像品質精度画面の一例を図９に示す。図９の例には、検査データ表示部９００と撮影装置データ表示部９０２と確認モニタ・データ表示部９０４とが含まれている。なお、確認モニタ・データ表示部９０４に含まれている購入年月日、メーカ、表示輝度については、端末ＩＤに基づき、図示しない端末モニタＤＢ等から抽出している。例えば医師であるユーザは、この画面に表示されるデータを見ることにより、専門技師がどのような環境で画像を確認したのかを知ることができる。なお、例えばフィルム表示画像のチェック結果やモニタ表示画像のチェック結果等、専門技師による画像のチェック結果に関するデータが含まれることもある。
【００５４】
図１０に、端子Ａを介して移行した処理（ステップＳ５３（図８）：Ｙｅｓルート）について示す。まず、電子カルテシステム・サーバ５の電子カルテシステム・サーバプログラム５３は、モニタ情報受け付けページのデータを生成し、電子カルテシステム端末３に送信する（図１０：ステップＳ６１）。電子カルテシステム端末３の電子カルテシステム・クライアントプログラム３５は、モニタ情報受け付けページのデータを電子カルテシステム・サーバ５から受信し、モニタ３１に表示する（ステップＳ６３）。
【００５５】
モニタ情報受け付けページには、図示しないが、電子カルテシステム端末３のモニタ情報獲得プログラム３３によって生成されたファイルを添付するためのオブジェクトが含まれている。モニタ情報獲得プログラム３３は、ユーザの指示に従い、又は定期的にモニタ３１に関する情報を取得し、所定のファイルに格納している。例えば医師であるユーザは、モニタ情報受け付けページにおいて、モニタ情報獲得プログラム３３によって生成されたファイルを参照・指定して、電子カルテシステム・サーバ５への送信を指示する操作を行う。なお、モニタ情報受け付けページにデータの入力欄を設け、送信する情報の一部又は全部をユーザに入力させるようにしてもよい。また、ＡｃｔｉｖｅＸ（マイクロソフト社の商標）等の技術により、上記所定のファイルを自動的に読み出して電子カルテシステム・サーバ５に送信するようにしてもよい。
【００５６】
そして、電子カルテシステム端末３の電子カルテシステム・クライアントプログラム３５は、モニタ３１の情報を受け付け、電子カルテシステム・サーバ５に送信する（ステップＳ６５）。電子カルテシステム・サーバ５の電子カルテシステム・サーバプログラム５３は、モニタ３１の情報を電子カルテシステム端末３から受信し、一旦記憶装置に格納する（ステップＳ６７）。
【００５７】
そして、電子カルテシステム・サーバプログラム５３は、ステップＳ４３（図８）において受信した文書ＩＤに基づきカルテＤＢ用モニタ情報テーブル（図５）を検索し、検査時の（専門技師が画像確認の際に用いた）モニタの情報及び画像の圧縮率を抽出し、一旦記憶装置に格納する（ステップＳ６９）。
【００５８】
そして、電子カルテシステム・サーバプログラム５３は、画像データの要求を画像システム・サーバ９に送信する（ステップＳ７１）。この際、ステップＳ２３（図６）において電子カルテＤＢ５１に格納した品質チェック・データ（図７）から該当する画像ＩＤを特定し、併せて送信する。
【００５９】
画像システム・サーバ９の画像システム・サーバプログラム９３は、画像ＩＤを含む画像データの要求を電子カルテシステム・サーバ５から受信する（ステップＳ７３）。そして、画像システム・サーバプログラム９３は、画像ＤＢ９１から画像及び圧縮率のデータを抽出し、電子カルテシステム・サーバ５に送信する（ステップＳ７５）。電子カルテシステム・サーバ５の電子カルテシステム・サーバプログラム５３は、画像及び圧縮率のデータを画像システム・サーバ９から受信し、一旦記憶装置に格納する（ステップＳ７７）。
【００６０】
そして、電子カルテシステム・サーバプログラム５３は、ステップＳ６９において抽出した検査時のモニタの情報及び画像の圧縮率と、ステップＳ６７及びステップＳ７７において受信したモニタの情報及び画像の圧縮率とを比較し、値が異なる項目を抽出した比較データを生成して一旦記憶装置に格納する（ステップＳ７９）。値が異なる項目について、数値であれば差を求めるようにしてもよい。なお、本実施の形態においては、同一モニタにおける劣化に関するデータついても比較データに含めるようにしている。例えば、検査時のモニタの情報において輝度差（カルテＤＢ用モニタ情報テーブルの輝度差の列５１８（図５）の値）が０ではない場合、当該輝度差は比較データに含まれる。
【００６１】
そして、電子カルテシステム・サーバプログラム５３は、ステップＳ７７において受信した画像データ及びステップＳ７９における比較結果に基づき、画像ページ・データを生成し、電子カルテシステム端末３に送信する（ステップＳ８１）。ここで、ステップＳ７９における比較結果に基づくのは、値が異なる項目又は輝度差があった場合、比較結果を表示するページに移行するためのオブジェクトを画像ページに含めるためである。
【００６２】
電子カルテシステム端末３の電子カルテシステム・クライアントプログラム３５は、画像ページ・データを電子カルテシステム・サーバ５から受信し、モニタ３１に表示する（ステップＳ８３）。
【００６３】
図１１に、画像ページの一例を示す。図１１の例には、ＣＴ撮影装置等によって撮影された医用画像が示されており、ページの右上に「！」ボタン１１００が含まれている。この「！」ボタン１１００は、上で説明した、比較結果を表示するページに移行するためのオブジェクトである。例えば医師であるユーザは、今自分が見ている画像の表示品質と、専門技師が確認した画像の表示品質との違いを知るために、「！」ボタン１１００をクリックする。
【００６４】
図１０の説明に戻り、電子カルテシステム端末３の電子カルテシステム・クライアントプログラム３５は、「！」ボタン１１００（図１１）のクリックによるモニタ比較ページ表示指示を受け付ける（図１０：ステップＳ８５）。そして、電子カルテシステム・クライアントプログラム３５は、モニタ比較ページ・データの要求を電子カルテシステム５に送信する（ステップＳ８７）。電子カルテシステム・サーバ５の電子カルテシステム・サーバプログラム５３は、モニタ比較ページ・データの要求を電子カルテシステム端末３から受信する（ステップＳ８９）。
【００６５】
そして、電子カルテシステム・サーバ５の電子カルテシステム・サーバプログラム５３は、ステップＳ７９において生成した比較データに基づき、モニタ比較ページ・データを生成し、電子カルテシステム端末３に送信する（ステップＳ９１）。電子カルテシステム端末３の電子カルテシステム・クライアントプログラム３５は、モニタ比較ページ・データを電子カルテシステム・サーバ５から受信し、モニタ３１に表示する（ステップＳ９３）。
【００６６】
図１２に、モニタ比較ページの一例を示す。図１２の例には、モニタ（装置名）の違い（項番１）、専門技師が確認に用いたモニタの輝度差（項番２）、画像の圧縮率の違い（項番３）、モニタの解像度の違い（項番４）及びモニタの明るさ（輝度）の違い（項番５）に関するデータが示されている。また、項番２以外は「確認用」と「表示用」とに分かれて示されているが、「確認用」には専門技師が確認に用いたモニタである例えばモニタ７１におけるデータが示され、「表示用」にはユーザが図１１に示した画像ページ及びこのモニタ比較ページを見るのに使用しているモニタである例えばモニタ３１におけるデータが示されている。例えば医師であるユーザは、このようなデータを見ることにより、モニタ３１に表示させた画像ページ（図１１）を見て診断を行うことが適切であるか判断することができる。  
【００６７】
なお、確認用モニタ（モニタ７１）の輝度差、画像の圧縮率の違い、又は確認用モニタと表示用モニタ（モニタ３１）とのスペックの違いがない場合においても、このようなモニタ比較ページを表示するようにしてもよい。その場合、画像ページ（図１１）には「！」ボタン１１００が無条件に含まれ、ステップＳ７９（図１０）の処理をステップＳ８９の後に行うようにしてもよい。
【００６８】
このようにして、例えば医師であるユーザに対して、画像及び当該画像の表示に関するデータが示される。
【００６９】
なお、これまでの説明では、電子カルテシステム・サーバ５の電子カルテシステム・サーバプログラム５３と、電子カルテシステム端末３の電子カルテシステム・クライアントプログラム３５とが、Ｗｅｂサーバ機能とＷｅｂブラウザ機能とを用いて処理を行うことを想定していたが、これらが、専用のクライアント・サーバ型のソフトウェアであってもよい。
【００７０】
この場合、ステップＳ６１乃至ステップＳ６５（図１０）の処理を以下のように変更することも可能である。まず、電子カルテシステム・サーバ５の電子カルテシステム・サーバプログラム５３は、モニタ情報の要求を電子カルテシステム端末３に送信する（ステップＳ６１）。電子カルテシステム端末３の電子カルテシステム・クライアントプログラム３５は、モニタ情報の要求を電子カルテシステム・サーバ５から受信する（ステップＳ６３）。電子カルテシステム・クライアントプログラム３５は、モニタ情報獲得プログラム３３によって生成されたファイルに基づくモニタ情報を電子カルテシステム・サーバ５に送信する（ステップＳ６５）。このようにすると、ユーザの手を煩わすことなく、自動で（表示用）モニタ情報の通信が行われるようになる。
【００７１】
また、同様の処理ステップにおいて、電子カルテシステム・サーバ５の電子カルテシステム・サーバプログラム５３が、ユーザのログインＩＤ等を用いて、図示しない端末モニタＤＢから該当するモニタの情報を抽出するようにしてもよい。このようにすると、通信処理を行うことなく、電子カルテシステム・サーバ５がモニタ情報を取得することができる。
【００７２】
以上本発明の一実施の形態について説明したが、本発明はこれに限定されるものではない。例えば、図２乃至図５に示したテーブル構成及び図７に示したデータ構成は一例であって、同様のデータを格納するためであれば別の構成を採用するようにしてもよいし、必要に応じて項目を追加又は削除してもよい。
【００７３】
また、図１に示した各処理装置の機能ブロック構成は一例であって、実際のプログラム・モジュール構成とは異なる場合がある。また、各処理装置が複数のサーバやコンピュータによって構成されていてもよい。
【００７４】
また、図９、図１１及び図１２に示した画面例は一例であって、同様のデータを別の態様で表現する場合もある。さらに、図６、図８及び図１０に示した処理フローも一例であって、同様の処理結果が得られる範囲において処理の順序を入れ替えてもよいし、必要に応じてステップを追加又は削除してもよい。
【００７５】
（付記１）
ユーザ端末が有する第１の表示装置に、当該第１の表示装置用の第１の画像データに基づく画像を表示させる場合に、当該画像の表示品質データを提供する画像表示品質データ提供装置であって、
前記第１の表示装置用の前記第１の画像データを前記第１の表示装置に表示する時の表示品質に関する第１のデータを取得し、第１データ記憶部に格納する第１データ取得手段と、
前記第１の画像データに対応する、第２の表示装置用の第２の画像データを前記第２の表示装置に表示した時の表示品質に関し且つ予め第２データ記憶部に格納されている第２のデータと、前記第１データ記憶部に格納された前記第１のデータとの相違事項を抽出し、当該相違事項に関するデータを相違データ記憶部に格納する相違データ抽出手段と、
前記ユーザ端末からの要求に応じて、前記相違データ記憶部に格納された前記相違事項に関するデータを含む画像表示品質データを前記ユーザ端末に送信する画像表示品質データ送信手段と、
を有する画像表示品質データ提供装置。
【００７６】
（付記２）
前記第１のデータ及び前記第２のデータには、表示装置を特定可能な名称と画像の圧縮率と表示装置の解像度と表示装置の輝度とのうち少なくともいずれかが含まれていることを特徴とする
付記１記載の画像表示品質データ提供装置。
【００７７】
（付記３）
前記第２のデータには、前記第２の表示装置の劣化に関するデータが含まれていることを特徴とする
付記１又は２記載の画像表示品質データ提供装置。
【００７８】
（付記４）
前記第１の画像データと、前記画像表示品質データの要求を指示するためのページ・オブジェクトのデータとを含むページのデータを生成する手段と、
生成された前記ページのデータを前記ユーザ端末に送信する手段とをさらに有する
付記１乃至３のいずれか１つに記載の画像表示品質データ提供装置。
【００７９】
（付記５）
前記相違データ抽出手段において前記相違事項が抽出された場合、
前記第１の画像データと、前記画像表示品質データの要求を指示するためのページ・オブジェクトのデータとを含むページのデータを生成する手段と、
生成された前記ページのデータを前記ユーザ端末に送信する手段とをさらに有する
付記１乃至３のいずれか１つに記載の画像表示品質データ提供装置。
【００８０】
（付記６）
前記第１データ取得手段が、
前記ユーザ端末の記憶装置に格納されている前記第１のデータを前記ユーザ端末から受信することにより、前記第１のデータを取得することを特徴とする
付記１乃至５のいずれか１つに記載の画像表示品質データ提供装置。
【００８１】
（付記７）
前記第１データ取得手段が、
前記ユーザ端末を操作するユーザ又は当該ユーザ端末の属性情報を受信する手段と、
受信した前記ユーザ又は前記ユーザ端末の属性情報に基づき前記ユーザ端末の表示装置を特定する手段とをさらに有し、
予め表示装置データ記憶部に格納されている、前記ユーザ端末の表示装置に対応する前記第１のデータを抽出することにより、前記第１のデータを取得することを特徴とする
付記１乃至５のいずれか１つに記載の画像表示品質データ提供装置。
【００８２】
（付記８）
ユーザ端末が有する第１の表示装置に、当該第１の表示装置用の第１の画像データに基づく画像を表示させる場合に、当該画像の表示品質データを提供するための画像表示品質データ提供プログラムであって、
前記第１の表示装置用の前記第１の画像データを前記第１の表示装置に表示する時の表示品質に関する第１のデータを取得し、第１データ記憶部に格納するステップと、
前記第１の画像データに対応する、第２の表示装置用の第２の画像データを前記第２の表示装置に表示した時の表示品質に関し且つ予め第２データ記憶部に格納されている第２のデータと、前記第１データ記憶部に格納された前記第１のデータとの相違事項を抽出し、当該相違事項に関するデータを相違データ記憶部に格納するステップと、
前記ユーザ端末からの要求に応じて、前記相違データ記憶部に格納された前記相違事項に関するデータを含む画像表示品質データを前記ユーザ端末に送信するステップと、
をコンピュータに実行させる画像表示品質データ提供プログラム。
【００８３】
（付記９）
ユーザ端末が有する第１の表示装置に、当該第１の表示装置用の第１の画像データに基づく画像を表示させる場合に、コンピュータにより実行される画像表示品質データ提供方法であって、
前記第１の表示装置用の前記第１の画像データを前記第１の表示装置に表示する時の表示品質に関する第１のデータを取得し、第１データ記憶部に格納するステップと、
前記第１の画像データに対応する、第２の表示装置用の第２の画像データを前記第２の表示装置に表示した時の表示品質に関し且つ予め第２データ記憶部に格納されている第２のデータと、前記第１データ記憶部に格納された前記第１のデータとの相違事項を抽出し、当該相違事項に関するデータを相違データ記憶部に格納するステップと、
前記ユーザ端末からの要求に応じて、前記相違データ記憶部に格納された前記相違事項に関するデータを含む画像表示品質データを前記ユーザ端末に送信するステップと、
を含み、コンピュータにより実行される画像表示品質データ提供方法。
【図面の簡単な説明】
【００８４】
【図１】本発明の一実施の形態におけるシステム構成図である。
【図２】モニタ初回使用情報テーブルの一例を示す図である。
【図３】画像ＤＢ用モニタ情報テーブルの一例を示す図である。
【図４】文書テーブルの一例を示す図である。
【図５】カルテＤＢ用モニタ情報テーブルの一例を示す図である。
【図６】本発明の一実施の形態における処理フロー（その１）を示す図である。
【図７】品質チェック・データの一例を示す図である。
【図８】本発明の一実施の形態における処理フロー（その２）を示す図である。
【図９】画像品質精度画面の一例を示す図である。
【図１０】本発明の一実施の形態における処理フロー（その３）を示す図である。
【図１１】画像ページの一例を示す図である。
【図１２】モニタ比較ページの一例を示す図である。
【符号の説明】
【００８５】
１  ネットワーク
３  電子カルテシステム端末
５  電子カルテシステム・サーバ
７  画像システム端末    ９  画像システム・サーバ
１１  撮影装置    ３１，７１  モニタ
３３，７３  モニタ情報獲得プログラム
３５  電子カルテシステム・クライアントプログラム
５１  電子カルテＤＢ
５３  電子カルテシステム・サーバプログラム
５５，９５  モニタ情報格納プログラム
５７  モニタ情報受信プログラム
７５  画像システム・クライアントプログラム
９１  画像ＤＢ
９３  画像システム・サーバプログラム
９７  モニタ情報送信プログラム
【図１】
2005052543.tif 000003
【図２】
2005052543.tif 000004
【図３】
2005052543.tif 000005
【図４】
2005052543.tif 000006
【図５】
2005052543.tif 000007
【図６】
2005052543.tif 000008
【図７】
2005052543.tif 000009
【図８】
2005052543.tif 000010
【図９】
2005052543.tif 000011
【図１０】
2005052543.tif 000012
【図１１】
2005052543.tif 000013
【図１２】
2005052543.tif 000014